(57)【要約】【課題】熱湯を注いで麺類等をほぐした後、その排湯処理機能を有する蓋材で、比較的単純で製造エネルギーコストに優位な、かつ湯切り口開口用ハーフカットの刻設管理が容易で、湯切り口に直線性を付与し、湯切りを容易にする湯切り機能付蓋材の提供にある。【解決手段】容器本体２のフランジ部２１にシールされ、紙でなる表面シート２０の裏面に接着性樹脂層２６を介してアルミニウム箔２４、シーラント層２２が施されてなり、その対角線上に位置する角部１２ａに開封用プルタブ１２を有し、このプルタブ１２と対峙する角部１１ａには、この角部を形成する一辺１３から他の一辺１４にわたり湯切り口開口用ハーフカットａが、前記シーラント層２２面から接着性樹脂層２６を貫通するように刻設されている湯切り機能付蓋材１である。【選択図】図１
2005153924.tif 000002
【特許請求の範囲】
【請求項１】
裏面が容器本体のフランジ部にシールされる、該フランジ部と略同形状で、少なくとも紙層を主体とした表面シートの裏面に接着層を介してアルミニウム箔が施され、最内層がシーラント層でなる蓋材で、該蓋材の外周縁には開封用プルタブを有し、該開封用プルタブと対峙する周縁部には該周縁部を形成する両側縁の所定の位置で、かつ該周縁部に対し水平の湯切り口開口用ハーフカットを有する湯切り機能付蓋材において、前記湯切り口開口用ハーフカットが前記シーラント層面から接着層を貫通するように刻設されていることを特徴とする湯切り機能付蓋材。
【請求項２】
上記湯切り口開口用ハーフカットの少なくとも一方の端部にノッチが刻設されていることを特徴とする請求項１記載の湯切り機能付蓋材。
【請求項３】
上記開封用プルタブと対峙する周縁部を形成する、少なくとも一方の側縁に湯切り口開口用プルタブが設けられていることを特徴とする請求項１または２記載の湯切り機能付蓋材。
【請求項４】
上記紙層を主体とした表面シートの表面にカット性を有するポリエチレンテレフタレートフィルムが積層されていることを特徴とする請求項１、２または３記載の湯切り機能付蓋材。
【発明の詳細な説明】
【技術分野】
【０００１】
本発明は、焼そばなど即席食品等の密封包装に使用する容器の蓋材に関するものであり、特に即席食品を柔らかくほぐすために注入する熱湯を排出する湯切り口を備えた湯切り機能付蓋材に関する。
【背景技術】
【０００２】
従来、即席用の焼きそば、スパゲティ、かやくうどん等を食するに際し、熱湯を注いで所定の時間が経過した後に排湯（湯切り）処理を必要とする即席食品用容器が知られ、その即席食品用容器の湯切り機能を有する蓋材は、例えば、図７の側断面図に示すように、突き破り用孔（７７）が穿設された紙層でなる表面シート（２０）の裏面にアルミニウム箔（２４）とシーラント層（２２）を積層したものがある。
【０００３】
しかし、この蓋材では、搬送中などで意に反して突き破り用孔（７７）が破れたり、また湯切りに際しては、箸などで突き破り用孔（７７）からアルミニウム箔（２４）とシーラント層（２２）を突き破らなければならず、よって箸などを必要とすることや破られた開口部の大きさや形状が一定にならないのでスムーズな湯切りができず、また破りカスが食品等に混入する危惧があるなどの問題点があった。
【０００４】
そこで、上記問題点を解決するものとして、最近種々の形態の蓋材が開発されている中で、比較的単純で製造（エネルギーを含めた）コストにも配慮された湯切り機能付蓋材に、例えば、図８（ａ）の上面図およびそのＢ−Ｂ面を表す図８（ｂ）の側断面図に示すように、フランジ部（２１）が設けられた四角形状の容器本体（２）の開口部をシールする、紙層でなる表面シート（２０）に接着性樹脂層（２６）を介してアルミニウム箔（２４）と、最内層にシーラント層（２２）が積層されてなる蓋材（１）で、対角線上に位置する一方の角部（１２ａ）に突出して開封用プルタブ（１２）が設けられ、もう一方の角部（１１ａ）には該角部（１１ａ）を形成する二辺の一辺（１３）から、もう一方の辺（１４）にわたり、容器本体（２）の角部の内側を横切るハーフカット線（ａ）が設けられ、該湯切り口開口用ハーフカット（ａ）が表面シート（２０）を貫通し接着性樹脂層（２６）に至るように形成され、この蓋材（１）の両端縁には、この湯切り口開口用ハーフカット（ａ）に平行に切り込み線（ｂ）が設けられた湯切り機能付蓋材（１）がある（例えば、特許文献１参照。）。
【０００５】
上記湯切り機能付蓋材（１）の使用は、例えば図９の上面図に示すように、開封用プルタブ（１２）を摘んで引っ張り上げて、容器本体（２）のフランジ部（２１）から蓋材（１）をフランジ部（２１）の途中の所定の位置（２１ａ）、すなわち熱湯を注ぎ易い位置まで剥離し、開口された開封口（７０）から熱湯を注いで麺類等即席食品を柔らかくほぐした後、湯切り口開口用ハーフカット（ａ）に沿って蓋材をカット（切り取り）しながらフランジ部（２１）から剥離して湯切り口（７０）を開口し、蓋材を傾けてこの湯切り口（７０）から残湯を排出して、麺類等を食するものである。
【０００６】
以下に、上記先行技術文献を示す。
【特許文献１】特開２００２−２３４５６４号公報
【発明の開示】
【発明が解決しようとする課題】
【０００７】
しかしながら、上記従来の湯切り機能付蓋材においては、例えば図８（ｂ）に示すよう
に、湯切り口開口用ハーフカット（ａ）の刻設を紙層でなる表面シート（２０）を貫通し、厚み１５〜３０μｍ程度の薄い接着性樹脂層（２６）に掛かり、アルミニウム箔（２４）を残すようにする必要があるため、その刻設の管理が困難なものであった。この湯切り口開口用ハーフカット（ａ）の刻設が深すぎると、輸送中あるいは内容物の充填中などでこの湯切り口開口用ハーフカット（ａ）から切り取られたりするので好ましくなく、逆に浅過ぎると、例えば図９に示すように、開口された湯切り口（７０）のカット面がぎざぎざとなってに直線性を欠くようになり、湯切り操作がし難いものとなるという問題点があった。
【０００８】
本発明は、かかる従来技術の問題点を解決するものであり、その課題とするところは、即席用の焼きそば等を食するに際し、熱湯を注いで所定の時間が経過した後、その排湯（湯切り）処理を必要とする即席食品用容器の湯切り機能付蓋材において、比較的単純な構成で製造（エネルギーを含めた）コストにも配慮され、かつ湯切り口を開口するための湯切り口開口用ハーフカットの刻設管理が容易で、さらにこの湯切り口の開口に際し、開口された湯切り口に直線性を付与し、湯切り操作を容易にする湯切り機能付蓋材を提供することにある。
【課題を解決するための手段】
【０００９】
本発明に於いて上記課題を達成するために、まず請求項１の発明では、裏面が容器本体のフランジ部にシールされる、該フランジ部と略同形状で、少なくとも紙層を主体とした表面シートの裏面に接着層を介してアルミニウム箔が施され、最内層がシーラント層でなる蓋材で、該蓋材の外周縁には開封用プルタブを有し、該開封用プルタブと対峙する周縁部には該周縁部を形成する両側縁の所定の位置で、かつ該周縁部に対し水平の湯切り口開口用ハーフカットを有する湯切り機能付蓋材において、前記湯切り口開口用ハーフカットが前記シーラント層面から接着層を貫通するように刻設されていることを特徴とする湯切り機能付蓋材としたものである。
【００１０】
また、請求項２の発明では、上記湯切り口開口用ハーフカットの少なくとも一方の端部にノッチが刻設されていることを特徴とする請求項１記載の湯切り機能付蓋材としたものである。
【００１１】
また、請求項３の発明では、上記開封用プルタブと対峙する周縁部を形成する少なくとも一方の側縁に湯切り口開口用プルタブが設けられていることを特徴とする請求項１または２記載の湯切り機能付蓋材としたものである。
【００１２】
さらにまた、請求項４の発明では、上記紙層を主体とした表面シートの表面にカット性を有するポリエチレンテレフタレートフィルムが積層されていることを特徴とする請求項１、２または３記載の湯切り機能付蓋材としたものである。
【発明の効果】
【００１３】
本発明は以上の構成であるから、下記に示す如き効果がある。
【００１４】
即ち、上記請求項１に係る発明によれば、蓋材の外周縁に開封用プルタブを有し、該開封用プルタブと対峙する周縁部には該周縁部を形成する両側縁の所定の位置で、かつ該周縁部に対し水平の湯切り口開口用ハーフカットを有する湯切り機能付蓋材において、前記湯切り口開口用ハーフカットが最内層のシーラント層面から接着層を貫通するように刻設されているので、たとえ深く刻設されたとしても、厚い紙層でなる表面シートの途中で止まり、逆に浅く刻設されたとしても、紙層でなる表面シートの裏面までとなり、よってこの湯切り口開口用ハーフカットの加工管理が容易で、かつこの開口に際し、開口された湯切り口に直線性を付与し、湯切り操作を容易にする湯切り機能付蓋材を提供できる効果が
ある。
【００１５】
また、上記請求項２に係る発明によれば、上記湯切り口開口用ハーフカットの少なくとも一方の端部にノッチが刻設されているので、このノッチを起点（きっかけ）とし、湯切り口開口用ハーフカットに沿って容易に開口できる湯切り機能付蓋材を提供できる効果がある。
【００１６】
また、上記請求項３に係る発明によれば、上記開封用プルタブと対峙する周縁部を形成する少なくとも一方の側縁に湯切り口開口用プルタブが設けられているので、この湯切り口開口用プルタブを摘んで引っ張り上げることにより、湯切り口開口用ハーフカットに沿って容易に開口することができ、さらに湯切り口開口用ハーフカットの端部にノ刻設されているノッチにより、より容易に湯切り口開口用ハーフカットに沿って開口できる効果を有する湯切り機能付蓋材とすることができる。
【００１７】
さらにまた、上記請求項４に係る発明によれば、上記紙層を主体とした表面シートの表面にカット性を有するポリエチレンテレフタレートフィルムを積層することによって、湯切り口開口用プルタブを摘んで引っ張り上げると、より直線性が付与されて開口（カット）できる湯切り機能付蓋材を提供できる効果がある。さらに蓋材の表面に光沢のある美粧性を付与することができる。
【００１８】
従って本発明は、焼そばなど即席食品等の密封包装に使用する湯切り機能付蓋材の如き用途において、湯切りし易い蓋材として、優れた実用上の効果を発揮する。
【発明を実施するための最良の形態】
【００１９】
以下に本発明を実施するための最良の形態を図面を用いながら詳細に説明する。
【００２０】
図１は、本発明の湯切り機能付蓋材の一事例を表す上面図および側断面図であり、図２、図３は、本発明の湯切り機能付蓋材の他の一事例を表す側断面図である。また図４、図６は、本発明の湯切り機能付蓋材の他の形状を示す上面図である。
【００２１】
上記請求項１に係る発明は、例えば図１（ａ）の上面図およびそのＢ−Ｂ面を表す図１（ｂ）の側断面図に示すように、四角形状の容器本体（２）の開口部を構成するフランジ部（２１）に、このフランジ部（２１）と略同形状の蓋材（１）がシールされていて、この蓋材の対角線上に位置する一方の角部（１２ａ）に突出して開封用プルタブ（１２）が設けられ、もう一方の角部（１１ａ）には、この角部（１１ａ）を形成する二辺の一辺（１３）からもう一方の辺（１４）にわたり、容器本体（２）の角部の内側を横切るように湯切り口開口用ハーフカット（ａ）が刻設されていて、この湯切り口開口用ハーフカット（ａ）は、この蓋材を構成する最内層のシーラント層（２２）面からアルミニウム箔（２４）、接着性樹脂層（２６）を貫通して紙層でなる表面シート（２０）に至るまで刻設されている湯切り機能付蓋材（１）である。
【００２２】
このように、湯切り口開口用ハーフカット（ａ）を最内層のシーラント層（２２）面からアルミニウム箔（２４）、接着性樹脂層（２６）を貫通し、紙層でなる厚みのある表面シート（２０）面に至るまで刻設するようにしたことによって、この湯切り口開口用ハーフカット（ａ）の加工管理が容易となり、よって、図４の上面図に示すように、湯切り口開口用ハーフカット（ａ）の切断で開口された湯切り口（７０）に直線性を付与し、湯切りし易い湯切り機能付蓋材（１）とすることができる。
【００２３】
また、上記請求項２に係る発明では、例えば図１（ａ）の上面図に示すように、湯切り口開口用ハーフカット（ａ）の一方の端部にノッチ（Ｖ）が刻設されている湯切り機能付
蓋材（１）としたもので、このノッチ（Ｖ）を起点（きっかけ）とし、湯切り口開口用ハーフカット（ａ）に沿って容易に開口できる湯切り機能付蓋材（１）とすることができる。
【００２４】
また、例えば図４の上面図に示すように、湯切り口開口用ハーフカット（ａ）のの両方の端部、即ち湯切り口側の角部（１１ａ）を形成する両方の辺（１３、１４）にもこのノッチ（Ｖ）を設けることもできる。
【００２５】
このように、湯切り口側の角部（１１ａ）を形成する辺（１３、１４）にノッチ（Ｖ）を形成するには、例えば図１（ａ）または図４に示すように、これら辺（１３、１４）の縁が、シールされる容器のフランジ部（２１）の縁より突出していることが好ましく、この突出している部分にノッチ（Ｖ）を形成することができるからである。
【００２６】
さらにまた、上記請求項３に係る発明では、例えば図１（ａ）の上面図に示すように、上記開封用プルタブ（１２）と対峙する角部（１１ａ）を形成する一方の辺（１４）で、湯切り口開口用ハーフカット（ａ）近傍で角部（１１ａ）側に湯切り口開口用プルタブ（１７）が設けられている湯切り機能付蓋材（１）とするものである。
【００２７】
上記湯切り口開口用プルタブ（１７）は、例えば図１（ａ）の上面図に示すように、ノッチ（Ｖ）が刻設されている側に設けると開口がより容易になるが、ノッチ（Ｖ）がなく湯切り口開口用プルタブ（１７）単独でもよく、また、図４に示すよに、湯切り口側の角部（１１ａ）を形成するもう一方の辺（１３）側にも湯切り口開口用プルタブ（１７）として設けてもよい。
【００２８】
さらにまた、上記請求項４に係る発明は、例えば図２の側断面図に示すように、紙層でなる表面シート（２０）の表面にカット性を有するポリエチレンテレフタレートフィルム（２７）が接着剤層（２９）を介して積層されている湯切り機能付蓋材（１）である。
【００２９】
このように、紙層でなる表面シート（２０）の表面にポリエチレンテレフタレートフィルム（２７）を積層したものとすることによって、図５の上面図に示すように、湯切り口（７０）の開口に際し、湯切り口開口用ハーフカット（ａ）の切断で開口された湯切り口（７０）に、より直線性を付与し、よってより湯切りし易い湯切り機能付蓋材（１）とすることができる。
【００３０】
さらに上記ポリエチレンテレフタレートフィルム（２７）の裏面に印刷を施したものとすることによって、蓋材の表面に光沢性を付与した美粧性に優れた湯切り機能付蓋材（１）を提供することもできる。
【００３１】
また、例えば図３の側断面図に示すように、アルミニウム箔（２４）と接着性樹脂層（２６）との間に中間層としてのポリエチレンテレフタレートフィルム（２８）を接着剤層（２９）を介して積層したものとすることもでき、このように中間層としてのポリエチレンテレフタレートフィルム（２８）を積層することによって、湯切り口開口用ハーフカット（ａ）の刻設管理が広がり、かつカット方向性があるため、その切り口の直線性がより向上するものとすることもできる。
【００３２】
また、上記四角形状の湯切り機能付蓋材の他の形状として、円形状あるいは楕円形状の湯切り機能付蓋材とすることもでき、例えば図６の上面図に示すように、円形状の容器本体の開口部を構成するフランジ部（２１）に、このフランジ部（２１）と略同形状の蓋材（１）がシールされていて、この蓋材の外周縁に突出して開封用プルタブ（１２）が設けられ、この開封用プルタブ（１２）に対峙する周縁部（１２ｂ）には、この周縁部（１２
ｂ）より両側に延びる側縁の約１／３程度の位置を結ぶように湯切り口開口用ハーフカット（ａ）がシーラント層面から表面シート面まで刻設した湯切り機能付蓋材（１）とすることもできる。
【００３３】
以下に本発明の湯切り機能を有する蓋材（１）に使用する材料およびその使用方法等について具体的に説明する。
【００３４】
まず、本発明の湯切り機能付蓋材（１）を構成する表面シート（２０）として、表面に印刷等を施すための用紙が用いられるのが一般的で、この用紙としては、少なくとも表面が白色で多色印刷適性を有するものが好ましく、例えば、坪量５０ｇ／ｍ２  〜１３５ｇ／ｍ２  程度の両アート紙、片アート紙あるいは両面コート紙、片面コート紙などを好適に使用することができる。
【００３５】
また、上記湯切り機能付蓋材（１）を構成するシーラント層（２２）としては、例えばヒートシール性に優れる直鎖低密度ポリエチレン（ＬＬＤＰＥ）、低密度ポリエチレン（ＬＤＰＥ）、高密度ポリエチレン（ＨＤＰＥ）、無延伸ポリプロピレン（ＣＰＰ）等のポリオレフィン樹脂あるいはエチレン／酢酸ビニル共重合体（ＥＶＡ）、エチレン／アクリル酸共重合体（ＥＡＡ）、エチレン／メタアクリル酸共重合体（ＥＭＡＡ）等エチレン共重合樹脂のフィルムが好適に用いられ、さらにこれらポリオレフィン樹脂にポリスチレンやポリブデン等からなる、該ポリオレフィン樹脂に対し不相溶性成分を混合したものとすることもできる。また、エチレン／酢酸ビニル共重合樹脂、エチレン／アクリル酸共重合樹脂等からなるホットメルト接着剤を塗布量１５〜２５ｇ／ｍ２  程度で設けてもよく、これらシーラント層（２２）によって容器本体（２）のフランジ部（２１）との充分な密封性と剥離開封性を可能とすることができる。
【００３６】
また、食品等に対する遮光性やガスバリア性など保存性を考慮して、その基材に６〜１２μｍのアルミニウム箔（２４）を積層することが一般的であり、このアルミニウム箔（２４）は、特に本発明の湯切り機能付蓋材（１）のように、開封用プルタブ（１２）より一部を（所望の位置（２１ａ）まで）剥離開封して、熱湯を注ぐ等にに際し、蓋材が剥離された状態を保持している性質（デッドホールド性という）を有すると、熱湯を安全に確実に注ぎ易くすることから好適に使用される。
【００３７】
また、上記アルミニウム箔（２４）を紙でなる表面シート（２０）に接着させる接着性樹脂層（２６）としては、蓋材の生産性を考慮して、例えば熱溶融押出しによるポリエチレン樹脂、アイオノマー樹脂、ポリプロピレン樹脂等が好ましく用いられるが、これらに限定するものではなく、ドライラミネート用接着剤等接着剤を用いてもよい。
【００３８】
また、上記最表面に施すポリエチレンテレフタレートフィルム（２７）および中間層としてのポリエチレンテレフタレートフィルム（２８）ともに６〜２５μｍの範囲の二軸延伸フィルムが用いられ、これらを積層せしめる接着剤層（２９）を構成する接着剤としては、例えばドライラミネート等において使用される２液硬化型ウレタン系接着剤、ポリエステルウレタン系接着剤、ポリエーテルウレタン系接着剤、アクリル系接着剤、ポリエステル系接着剤、ポリアミド系接着剤、ゴム系接着剤等を使用することができる。
【００３９】
また、本発明の湯切り機能付蓋材（１）をシールする容器本体（２）としては、断熱性材料を成形したものが用いられ、例えば厚さ１０ｍｍ程度の発泡ポリスチレンシートを真空成形方法で得ることができる。また、例えば紙製側壁と紙製底壁でなる紙製カップ本体の紙製側壁外面に、ライナー紙の片面にエンボスが施された断熱材を貼着した断熱シートを接着固定して紙製の容器本体としたものなどを用いることができる。
【００４０】
以上のような本発明の湯切り機能付蓋材（１）は、熱湯を注いで柔らかくほぐし、湯切りしてから食する即席焼きそばや即席生麺などの容器にシール密封する蓋材として、好適に用いられるものである。
【図面の簡単な説明】
【００４１】
【図１】本発明の湯切り機能付蓋材の一実施の形態を示すもので、（ａ）は、その上面図であり、（ｂ）は、（ａ）のＢ−Ｂ面断面図である。
【図２】本発明の湯切り機能付蓋材の他の一実施の形態を側断面で表した説明図である。
【図３】本発明の湯切り機能付蓋材の他の一事例を側断面で表した説明図である。
【図４】本発明の湯切り機能付蓋材の他の一事例を示す上面図である。
【図５】本発明の湯切り機能付蓋材の一事例で、その開封および開口後の状態を表す上面図である。
【図６】本発明の湯切り機能付蓋材の他の形状を表した上面図である。
【図７】従来の湯切り口付蓋材の一事例を説明する側断面図である。
【図８】従来の湯切り機能付蓋材の他の一事例を説明するもので、（ａ）は、その上面図であり、（ｂ）は、そのＢ−Ｂ面を表す側断面図である。
【図９】従来の湯切り機能付蓋材の一事例で、その開封および開口後の状態を表す上面図である。
【符号の説明】
【００４２】
１‥‥湯切り機能付蓋材
２‥‥容器本体
１１ａ‥‥湯切り口側の角部
１２‥‥開封用プルタブ
１２ａ‥‥開封用プルタブ側の角部
１３‥‥湯切り口側の角部を形成する一辺
１４‥‥湯切り口側の角部を形成する他の一辺
１５‥‥開封用プルタブ側の角部を形成する一辺
１６‥‥開封用プルタブ側の角部を形成する他の一辺
１７‥‥湯切り口開口用プルタブ
２０‥‥表面シート
２１‥‥フランジ部
２１ａ‥‥剥離される所望の位置
２１ｂ‥‥開封用プルタブに対峙する周縁部
２２‥‥シーラント層
２４‥‥アルミニウム箔
２６‥‥接着性樹脂層
２７‥‥表面のポリエチレンテレフタレートフィルム
２８‥‥中間層としてのポリエチレンテレフタレートフィルム
２９‥‥接着剤層
７０‥‥湯切り口
７２‥‥開封口
７７‥‥突き破り用孔
ａ‥‥ハーフカット線
ｂ‥‥平行な切り込み
Ｖ‥‥ノッチ
【図１】
2005153924.tif 000003
【図２】
2005153924.tif 000004
【図３】
2005153924.tif 000005
【図４】
2005153924.tif 000006
【図５】
2005153924.tif 000007
【図６】
2005153924.tif 000008
【図７】
2005153924.tif 000009
【図８】
2005153924.tif 000010
【図９】
2005153924.tif 000011